【手続補正書】
【提出日】平成18年2月10日(2006.2.10)
【手続補正１】
【補正対象書類名】明細書
【補正対象項目名】特許請求の範囲
【補正方法】変更
【補正の内容】
【特許請求の範囲】
【請求項１】  低温側の熱を高温側に移動させる蒸気圧縮式冷凍機であって、
冷媒を吸入圧縮する圧縮機（１）と、
高圧冷媒の熱を放冷する放熱器（２）と、
前記放熱器（２）にて冷却された冷媒を減圧膨脹させる膨脹弁（５）と、
前記膨脹弁（５）にて減圧された冷媒を蒸発させて吸熱する蒸発器（６）と、
前記膨脹弁（５）にて減圧される前の高圧冷媒と前記圧縮機（１）に吸引される低圧冷媒とを熱交換する内部熱交換器（７）とを備え、
前記膨脹弁（５）は、所定質量のガスが封入された密閉空間（５ａ）を形成する薄膜状のダイヤフラム（５ｃ）、前記ダイヤフラム（５ｃ）の変位に連動して絞り開度を変化させる弁体（５ｄ）、前記ダイヤフラム（５ｃ）を挟んで前記密閉空間（５ａ）と反対側から前記密閉空間（５ａ）の体積を縮小させる向きの弾性力を与えるバネ（５ｑ）、及び前記バネ（５ｑ）の初期荷重を与える荷重付与部（５ｒ）を有し、
前記密閉空間（５ａ）内の圧力は前記蒸発器（６）を流出した冷媒の温度に応じて変化し、前記ダイヤフラム（５ｃ）のうち前記密閉空間（５ａ）と反対側には前記蒸発器（６）を流出した冷媒の圧力が作用しており、
さらに、前記荷重付与部（５ｒ）は、ハウジング（５ｊ）に対して移動することができない構造となっていることを特徴とする蒸気圧縮式冷凍機。
【請求項２】  低温側の熱を高温側に移動させる蒸気圧縮式冷凍機であって、
冷媒を吸入圧縮する圧縮機（１）と、
高圧冷媒の熱を放冷する放熱器（２）と、
前記放熱器（２）にて冷却された冷媒を減圧膨脹させる膨脹弁（５）と、
前記膨脹弁（５）にて減圧された冷媒を蒸発させて吸熱する蒸発器（６）と、
前記膨脹弁（５）にて減圧される前の高圧冷媒と前記圧縮機（１）に吸引される低圧冷媒とを熱交換する内部熱交換器（７）とを備え、
前記膨脹弁（５）は、所定質量のガスが封入された密閉空間（５ａ）を形成する薄膜状のダイヤフラム（５ｃ）、及び前記ダイヤフラム（５ｃ）の変位に連動して絞り開度を変化させる弁体（５ｄ）を有し、
前記密閉空間（５ａ）内の圧力は前記蒸発器（６）を流出した冷媒の温度に応じて変化し、前記ダイヤフラム（５ｃ）のうち前記密閉空間（５ａ）と反対側には前記蒸発器（６）を流出した冷媒の圧力が作用しており、
さらに、前記ダイヤフラム（５ｃ）は、前記密閉空間（５ａ）内の圧力と前記蒸発器（６）を流出した冷媒の圧力との差圧のみに基づいて変位することを特徴とする蒸気圧縮式冷凍機。
【請求項３】  前記ダイヤフラム（５ｃ）と前記弁体（５ｄ）とを繋ぐ連接棒（５ｆ）と前記ダイヤフラム（５ｃ）とが接合され、
さらに、前記連接棒（５ｆ）と前記弁体（５ｄ）とが接合されていることを特徴とする請求項２に記載の蒸気圧縮式冷凍機。
【請求項４】  弁座（５ｈ）が形成されたハウジング（５ｊ）には、前記密閉空間（５ａ）と反対側から前記ダイヤフラム（５ｃ）を支持するダイヤフラムケース（５ｓ）が一体形成又は接合により一体化されていることを特徴とする請求項２又は３に記載の蒸気圧縮式冷凍機。
【請求項５】  前記内部熱交換器（７）は、内筒管（７ａ）及び外筒管（７ｂ）からなる二重管であることを特徴とする請求項１ないし４のいずれか１つに記載の蒸気圧縮式冷凍機。
【請求項６】  前記膨脹弁（５）が、前記低圧冷媒が流れる冷媒通路を構成する配管手段（８）内に収納されていることを特徴とする請求項１ないし５のいずれか１つに記載の蒸気圧縮式冷凍機。
【請求項７】  前記膨脹弁（５）は、前記配管手段（８）内で弾性的に変位することができるように固定されていることを特徴とする請求項６に記載の蒸気圧縮式冷凍機。
【請求項８】  前記内部熱交換器（７）と前記膨脹弁（５）とが一体化されていることを特徴とする請求項１ないし７のいずれか１つに記載の蒸気圧縮式冷凍機。
【請求項９】  前記膨脹弁（５）は、前記蒸発器（６）と前記内部熱交換器（７）との間を流れる冷媒の状態が乾き度０．９から過熱度５℃の範囲内に調整されるように、前記蒸発器（６）に供給する冷媒の流量を調節することを特徴とする請求項１ないし８のいずれか１つに記載の蒸気圧縮式冷凍機。
【請求項１０】  前記蒸発器（６）と前記内部熱交換器（７）との間を流れる冷媒の状態が乾き度０．９から１．０の範囲内に調整されることを特徴とする請求項９に記載の蒸気圧縮式冷凍機。
【請求項１１】  前記蒸発器（６）と前記内部熱交換器（７）との間を流れる冷媒の状態が過熱度０℃から５℃の範囲内に調整されることを特徴とする請求項９に記載の蒸気圧縮式冷凍機。
【請求項１２】  低温側の熱を高温側に移動させる蒸気圧縮式冷凍機であって、
冷媒を吸入圧縮する圧縮機（１）と、
高圧冷媒の熱を放冷する放熱器（２）と、
当該蒸気圧縮式冷凍機の高圧側と低圧側の間に配置され、前記放熱器（２）にて冷却された冷媒が流れる通路を有する膨脹装置（５）と、
前記膨脹装置（５）にて減圧された冷媒を蒸発させて吸熱する蒸発器（６）と、
前記膨脹装置（５）への高圧通路と前記蒸発器（６）からの低圧通路との間に配置され、前記膨脹装置（５）にて減圧される前の高圧冷媒と前記圧縮機（１）に吸引される低圧冷媒とを熱交換する内部熱交換器（７）とを備え、
前記膨脹装置（５）は、前記蒸発器（６）と前記内部熱交換器（７）との間を流れる冷媒の状態が乾き度０．９から過熱度５℃の範囲内に調整されるように、前記蒸発器（６）に供給する冷媒の流量を調節することを特徴とする蒸気圧縮式冷凍機。
【請求項１３】  前記蒸発器（６）と前記内部熱交換器（７）との間を流れる冷媒の状態が乾き度０．９から１．０の範囲内に調整されることを特徴とする請求項１２に記載の蒸気圧縮式冷凍機。
【請求項１４】  前記蒸発器（６）と前記内部熱交換器（７）との間を流れる冷媒の状態が過熱度０℃から５℃の範囲内に調整されることを特徴とする請求項１２に記載の蒸気圧縮式冷凍機。
【請求項１５】  前記内部熱交換器（７）は、内筒管（７ａ）及び外筒管（７ｂ）からなる二重管であることを特徴とする請求項１２ないし１４のいずれか１つに記載の蒸気圧縮式冷凍機。
【請求項１６】  前記膨脹装置（５）が、前記低圧冷媒が流れる冷媒通路を構成する配管手段（８）内に収納されていることを特徴とする請求項１２ないし１５のいずれか１つに記載の蒸気圧縮式冷凍機。
【請求項１７】  前記膨脹装置（５）は、前記配管手段（８）内で弾性的に変位することができるように固定されていることを特徴とする請求項１６に記載の蒸気圧縮式冷凍機。
【請求項１８】  前記内部熱交換器（７）と前記膨脹装置（５）とが一体化されていることを特徴とする請求項１２ないし１７のいずれか１つに記載の蒸気圧縮式冷凍機。
【手続補正２】
【補正対象書類名】明細書
【補正対象項目名】０００９
【補正方法】変更
【補正の内容】
【０００９】
【課題を解決するための手段】
本発明は、上記目的を達成するために、請求項１に記載の発明では、低温側の熱を高温側に移動させる蒸気圧縮式冷凍機であって、冷媒を吸入圧縮する圧縮機（１）と、高圧冷媒の熱を放冷する放熱器（２）と、放熱器（２）にて冷却された冷媒を減圧膨脹させる膨脹弁（５）と、膨脹弁（５）にて減圧された冷媒を蒸発させて吸熱する蒸発器（６）と、膨脹弁（５）にて減圧される前の高圧冷媒と圧縮機（１）に吸引される低圧冷媒とを熱交換する内部熱交換器（７）とを備え、膨脹弁（５）は、所定質量のガスが封入された密閉空間（５ａ）を形成する薄膜状のダイヤフラム（５ｃ）、ダイヤフラム（５ｃ）の変位に連動して絞り開度を変化させる弁体（５ｄ）、ダイヤフラム（５ｃ）を挟んで密閉空間（５ａ）と反対側から密閉空間（５ａ）の体積を縮小させる向きの弾性力を与えるバネ（５ｑ）、及びバネ（５ｑ）の初期荷重を与える荷重付与部（５ｒ）を有し、密閉空間（５ａ）内の圧力は蒸発器（６）を流出した冷媒の温度に応じて変化し、ダイヤフラム（５ｃ）のうち密閉空間（５ａ）と反対側には蒸発器（６）を流出した冷媒の圧力が作用しており、さらに、荷重付与部（５ｒ）は、ハウジング（５ｊ）に対して移動することができない構造となっていることを特徴とする。
【手続補正３】
【補正対象書類名】明細書
【補正対象項目名】００１３
【補正方法】変更
【補正の内容】
【００１３】
請求項２に記載の発明では、低温側の熱を高温側に移動させる蒸気圧縮式冷凍機であって、冷媒を吸入圧縮する圧縮機（１）と、高圧冷媒の熱を放冷する放熱器（２）と、放熱器（２）にて冷却された冷媒を減圧膨脹させる膨脹弁（５）と、膨脹弁（５）にて減圧された冷媒を蒸発させて吸熱する蒸発器（６）と、膨脹弁（５）にて減圧される前の高圧冷媒と圧縮機（１）に吸引される低圧冷媒とを熱交換する内部熱交換器（７）とを備え、膨脹弁（５）は、所定質量のガスが封入された密閉空間（５ａ）を形成する薄膜状のダイヤフラム（５ｃ）、及びダイヤフラム（５ｃ）の変位に連動して絞り開度を変化させる弁体（５ｄ）を有し、密閉空間（５ａ）内の圧力は蒸発器（６）を流出した冷媒の温度に応じて変化し、ダイヤフラム（５ｃ）のうち密閉空間（５ａ）と反対側には蒸発器（６）を流出した冷媒の圧力が作用しており、さらに、ダイヤフラム（５ｃ）は、密閉空間（５ａ）内の圧力と蒸発器（６）を流出した冷媒の圧力との差圧のみに基づいて変位することを特徴とする。
【手続補正４】
【補正対象書類名】明細書
【補正対象項目名】００２１
【補正方法】変更
【補正の内容】
【００２１】
請求項５に記載の発明では、内部熱交換器（７）は、内筒管（７ａ）及び外筒管（７ｂ）からなる二重管であることを特徴とするものである。
【手続補正５】
【補正対象書類名】明細書
【補正対象項目名】００２２
【補正方法】変更
【補正の内容】
【００２２】
請求項６に記載の発明では、膨脹弁（５）が、低圧冷媒が流れる冷媒通路を構成する配管手段（８）内に収納されていることを特徴とする。
【手続補正６】
【補正対象書類名】明細書
【補正対象項目名】００２３
【補正方法】変更
【補正の内容】
【００２３】
これにより、膨脹弁（５）を、例えば走行用エンジンの熱等から保護しながら、膨脹弁（５）の振動に伴う騒音を低減することができる。延いては、例えばエンジンの熱等に起因する膨脹弁（５）の作動不良を未然に防止しながら、膨脹弁５の搭載位置自由度を拡大することができる。
【手続補正７】
【補正対象書類名】明細書
【補正対象項目名】００２４
【補正方法】変更
【補正の内容】
【００２４】
請求項７に記載の発明では、膨脹弁（５）は、配管手段（８）内で弾性的に変位することができるように固定されていることを特徴とする。
【手続補正８】
【補正対象書類名】明細書
【補正対象項目名】００４６
【補正方法】変更
【補正の内容】
【００４６】
なお、第２圧力室５ｐ内の温度は蒸発器６の冷媒出口側の冷媒温度と略等しいので、第２圧力室５ｐ内の温度がダイヤフラム５ｃ及び連接棒５ｆを介して第１圧力室５ａに伝達されて、第１圧力室５ａ内の温度も蒸発器６の冷媒出口側の冷媒温度と略等しくなる。このとき、第１圧力室５ａ内に所定質量の冷媒が封入され、かつ、第１圧力室５ａ内の気相冷媒は常に飽和状態となっているので、その内圧は飽和ガス圧となる。
【手続補正９】
【補正対象書類名】明細書
【補正対象項目名】００５１
【補正方法】変更
【補正の内容】
【００５１】
このとき、膨脹弁５は、ゴム等の弾性変形可能な弾性部材８ａ、８ｂを介して挟まれるようにケーシング８内に固定されているため、膨脹弁５は、配管手段をなすケーシング８内で弾性的に変位することができる。
【手続補正１０】
【補正対象書類名】明細書
【補正対象項目名】００６１
【補正方法】変更
【補正の内容】
【００６１】
また、膨脹弁５が配管手段をなすケーシング８内に収納されているので、膨脹弁５を走行用エンジンの熱等から保護しながら、膨脹弁５の振動に伴う騒音を低減することができる。延いては、エンジンの熱等に起因する膨脹弁５の作動不良を未然に防止しながら、膨脹弁５の搭載位置自由度を拡大することができる。
【手続補正１１】
【補正対象書類名】明細書
【補正対象項目名】００６４
【補正方法】変更
【補正の内容】
【００６４】
（第２実施形態）
第１実施形態では、膨脹弁５全体をケーシング８内に収納したが、本実施形態は、図７、８に示すように、蓋８ｄを膨脹弁５に設けることによりケーシング８の蓋８ｄを廃止して、組み付け工数及び部品点数の低減を図ったものである。
【手続補正１２】
【補正対象書類名】明細書
【補正対象項目名】００６５
【補正方法】変更
【補正の内容】
【００６５】
なお、本実施形態においても膨脹弁５の弁口５ｅ、つまり絞り部がケーシング８内に収納された状態で、膨脹弁５が弾性変位可能にケーシング８内に固定されているため、減圧時に発生する膨脹弁５の振動を吸収することができ、膨脹弁５の振動に伴う騒音を低減することができる。